(57)【要約】      （修正有）【課題】セカンダリ基地局から端末装置に送信されるデータの送信状況又は送達状況を、マスタ基地局が適切なタイミングで取得する。【解決手段】マスタ基地局１００は、セカンダリ基地局から端末装置へのデータ送信状況とセカンダリ基地局から端末装置へのデータ送達状況とのうちの少なくとも一方の状況に関する通知を要求するメッセージを取得する取得部１４１と、上記メッセージをセカンダリ基地局に送信する送信処理部１４３と、を備える。上記メッセージは、当該メッセージの通知タイミングをセカンダリ基地局に指示するタイミング指示情報を含む。【選択図】図７
2019213129.tif 000002
【特許請求の範囲】
【請求項１】
端末装置との無線通信を行うマスタ基地局であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得する取得部と、
前記メッセージを前記セカンダリ基地局に送信する送信処理部と、
を備え、
前記メッセージは、当該メッセージの通知タイミングを前記セカンダリ基地局に指示するタイミング指示情報を含む、マスタ基地局。
【請求項２】
前記タイミング指示情報は、前記データ送信状況の更新時を前記通知タイミングとして指示する、請求項１記載のマスタ基地局。
【請求項３】
前記タイミング指示情報は、前記データ送達状況の更新時を前記通知タイミングとして指示する、請求項１記載のマスタ基地局。
【請求項４】
前記データ送達状況の更新は、前記セカンダリ基地局が前記端末装置からのステイタスレポートを受信したことに応答して行われる、請求項３記載のマスタ基地局。
【請求項５】
前記セカンダリ基地局から前記端末装置へ送信するためのデータには、当該マスタ基地局によって割り当てられたシーケンスナンバーが設定されており、
前記メッセージは、前記データ送信状況と前記データ送達状況とのうちの少なくとも一方の状況に関する通知対象となるシーケンスナンバーを指示するシーケンスナンバー指示情報を含む、請求項１乃至４のうち何れか１項記載のマスタ基地局。
【請求項６】
前記データ送信状況は、ＲＬＣ（Radio  Link  Control）レイヤにおけるデータ送信状況である、請求項１乃至５のうち何れか１項記載のマスタ基地局。
【請求項７】
前記データ送達状況は、ＲＬＣ（Radio  Link  Control）レイヤにおけるデータ送達状況である、請求項１乃至６のうち何れか１項記載のマスタ基地局。
【請求項８】
端末装置との無線通信を行うセカンダリ基地局であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信する受信処理部と、
前記メッセージに応じて、前記データ送信状況及び前記データ送信状況とのうちの少なくとも一方の状況に関する情報を、前記マスタ基地局に送信する送信処理部と、
を備え、
前記メッセージは、当該メッセージの通知タイミングを当該セカンダリ基地局に指示するタイミング指示情報を含み、
前記送信処理部は、前記タイミング指示情報が指示するタイミングで、前記データ送信状況及び前記データ送信状況とのうちの少なくとも一方の状況に関する情報を、前記マスタ基地局に送信する、セカンダリ基地局。
【請求項９】
端末装置との無線通信を行うマスタ基地局が行う方法であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を含み、
前記メッセージは、当該メッセージの通知タイミングを前記セカンダリ基地局に指示するタイミング指示情報を含む、方法。
【請求項１０】
端末装置との無線通信を行うセカンダリ基地局が行う方法であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送信状況とのうちの少なくとも一方の状況に関する情報を、前記マスタ基地局に送信することと、
を含み、
前記メッセージは、当該メッセージの通知タイミングを当該セカンダリ基地局に指示するタイミング指示情報を含み、
前記データ送信状況及び前記データ送信状況とのうちの少なくとも一方の状況に関する情報の送信では、前記タイミング指示情報が指示するタイミングで、前記データ送信状況及び前記データ送信状況とのうちの少なくとも一方の状況に関する情報を、前記マスタ基地局に送信する、方法。
【発明の詳細な説明】
【技術分野】
【０００１】
本発明は、マスタ基地局、セカンダリ基地局、及び方法に関する。
【背景技術】
【０００２】
複数の基地局間で同時通信（Ｄｕａｌ  ｃｏｎｎｅｃｔｉｖｉｔｙ）を行う移動通信システムでは、Ｍａｓｔｅｒ−ｅＮＢ（ＭｅＮＢ）およびＳｅｃｏｎｄａｒｙ−ｅＮＢ（ＳｅＮＢ）の２つのｅＮＢを使用してデータ通信を実現する。同一ベアラのユーザデータを２つのｅＮＢから送信するため、ＭｅＮＢがユーザデータ伝送の分岐点となる。つまり、Ｓ−ＧＷ（Ｓｅｒｖｉｎｇ  Ｇａｔｅｗａｙ）からＳ１インターフェースを介して転送される下りデータは、ＭｅＮＢのキャリアで伝送されるか、もしくはＸ２インターフェースを介してＳｅＮＢ側へ送信された後にＳｅＮＢのキャリアで伝送される。
【０００３】
このデータ送信を実現するために、ＭｅＮＢのキャリアおよびＳｅＮＢのキャリアのそれぞれで送信されるユーザデータ量を適切に分配する必要がある。このため、ＳｅＮＢ側から送信したユーザデータの送信状況及び送達状況、ＳｅＮＢ内の許容データバッファ量等をＳｅＮＢからＭｅＮＢに対して通知するフロー制御が行われている。
【０００４】
また、特許文献１には、無線基地局ＭｅＮＢの送信部が、無線基地局ＳｅＮＢに対して、移動局ＵＥからのＲＬＣ-ＰＤＵ（上りデータ信号）の受信状況を通知することが、開示されている。
【先行技術文献】
【特許文献】
【０００５】
【特許文献１】特開２０１５−０７０３１８号公報
【発明の概要】
【発明が解決しようとする課題】
【０００６】
ここで、マスタ基地局から見た場合、セカンダリ基地局により行われる送信状況及び／又は送達状況などの更新タイミングは不定期である。言い換えれば、マスタ基地局からセカンダリ基地局に対する送信状況又は送達状況の通知要求は、実際にセカンダリ基地局側で行われる更新と非同期である。
【０００７】
このため、例えば、送信状況又は送達状況の通知要求間隔が長い場合は、上記送信状況又は上記送達状況をマスタ基地局が迅速に把握することができない。このため、ユーザデータ量を適切に分配できない問題が生じる。逆に、送信状況又は送達状況の通知要求間隔が短い場合は、上記送信状況又は上記送達状況の変化がなくても、何度も同様の通知要求が行われることになり、トラフィックに負荷がかかる問題が生じる。
【０００８】
本発明の目的は、セカンダリ基地局から端末装置に送信されるデータの送信状況又は送達状況を、マスタ基地局が適切なタイミングで取得することを可能にするマスタ基地局、セカンダリ基地局、及び方法を提供することにある。
【課題を解決するための手段】
【０００９】
本発明の一態様によれば、端末装置との無線通信を行うマスタ基地局は、上記端末装置との無線通信を行うセカンダリ基地局に要求するメッセージであって、上記セカンダリ基地局から上記端末装置へのデータ送信状況と上記セカンダリ基地局から上記端末装置へのデータ送達状況とのうちの少なくとも一方の状況に関する通知を要求する上記メッセージを取得する取得部と、上記メッセージを上記セカンダリ基地局に送信する送信処理部と、を備え、上記メッセージは、当該メッセージの通知タイミングを上記セカンダリ基地局に指示するタイミング指示情報を含む。
【００１０】
本発明の一態様によれば、端末装置との無線通信を行うセカンダリ基地局は、上記端末装置との無線通信を行うマスタ基地局から、当該セカンダリ基地局から上記端末装置へのデータ送信状況と当該セカンダリ基地局から上記端末装置へのデータ送達状況とのうちの少なくとも一方の状況に関する通知を要求するためのメッセージを受信する受信処理部と、上記メッセージに応じて、上記データ送信状況及び上記データ送信状況とのうちの少なくとも一方の状況に関する情報を、上記マスタ基地局に送信する送信処理部と、を備え、上記メッセージは、当該メッセージの通知タイミングを当該セカンダリ基地局に指示するタイミング指示情報を含み、上記送信処理部は、上記タイミング指示情報が指示するタイミングで、上記データ送信状況及び上記データ送信状況とのうちの少なくとも一方の状況に関する情報を、上記マスタ基地局に送信する。
【００１１】
本発明の一態様によれば、端末装置との無線通信を行うマスタ基地局が行う方法は、上記端末装置との無線通信を行うセカンダリ基地局に要求するメッセージであって、上記セカンダリ基地局から上記端末装置へのデータ送信状況と上記セカンダリ基地局から上記端末装置へのデータ送達状況とのうちの少なくとも一方の状況に関する通知を要求する上記メッセージを取得することと、上記メッセージを前記セカンダリ基地局に送信することと、を含み、上記メッセージは、当該メッセージの通知タイミングを上記セカンダリ基地局に指示するタイミング指示情報を含む。
【００１２】
本発明の一態様によれば、端末装置との無線通信を行うセカンダリ基地局が行う方法は、上記端末装置との無線通信を行うマスタ基地局から、当該セカンダリ基地局から上記端末装置へのデータ送信状況と当該セカンダリ基地局から上記端末装置へのデータ送達状況とのうちの少なくとも一方の状況に関する通知を要求するためのメッセージを受信することと、上記メッセージに応じて、上記データ送信状況及び上記データ送信状況とのうちの少なくとも一方の状況に関する情報を、上記マスタ基地局に送信することと、
を含み、上記メッセージは、当該メッセージの通知タイミングを当該セカンダリ基地局に指示するタイミング指示情報を含み、上記データ送信状況及び上記データ送信状況とのうちの少なくとも一方の状況に関する情報の送信では、上記タイミング指示情報が指示するタイミングで、上記データ送信状況及び上記データ送信状況とのうちの少なくとも一方の状況に関する情報を、上記マスタ基地局に送信する。
【発明の効果】
【００１３】
本発明によれば、セカンダリ基地局から端末装置に送信されるデータの送信状況又は送達状況を、マスタ基地局が適切なタイミングで取得することが可能になる。なお、本発明により、当該効果の代わりに、又は当該効果とともに、他の効果が奏されてもよい。
【図面の簡単な説明】
【００１４】
【図１】図１は、Ｄｕａｌ  ｃｏｎｎｅｃｔｉｖｉｔｙを行う移動通信システムの概略構成を示す図である。
【図２】図２は、Ｄｕａｌ  ｃｏｎｎｅｃｔｉｖｉｔｙにおけるユーザデータの流れを説明するための図である。
【図３】図３は、Ｒｅｐｏｒｔ  ｐｏｌｌｉｎｇのためのデータフォーマットの一例を示す図である。
【図４】図４は、上記通知応答のためのデータフォーマットの一例を示す図である。
【図５】図５は、ＭｅＮＢ、ＳｅＮＢ、及びＵＥのそれぞれで行われる処理の流れを説明するためのタイミングチャートを示す図である。
【図６】図６は、本発明の実施形態に係るシステム１の概略的な構成の一例を示す説明図である。
【図７】図７は、第１の実施形態に係るマスタ基地局１００の概略的な構成の例を示すブロック図である。
【図８】図８は、第１の実施形態に係るセカンダリ基地局２００の概略的な構成の例を示すブロック図である。
【図９】図９は、上記メッセージを送信するためのデータフォーマットの一例を示す図である。
【図１０】図１０は、第１の具体例に係る処理の流れを示すタイミングチャートを示す図である。
【図１１】図１１は、第２の具体例に係る処理の流れを示すタイミングチャートを示す図である。
【図１２】図１２は、第３の具体例に係る処理の流れを示すタイミングチャートを示す図である。
【図１３】図１３は、第２の実施形態に係るマスタ基地局１００の概略的な構成の例を示すブロック図である。
【図１４】図１４は、第２の実施形態に係るセカンダリ基地局２００の概略的な構成の例を示すブロック図である。
【発明を実施するための形態】
【００１５】
以下、添付の図面を参照して本発明の実施形態を詳細に説明する。なお、本明細書及び図面において、同様に説明されることが可能な要素については、同一の符号を付することにより重複説明が省略され得る。
【００１６】
説明は、以下の順序で行われる。
１．本発明の実施形態の概要
２．システムの構成
３．第１の実施形態
３．１．マスタ基地局１００の構成
３．２．セカンダリ基地局２００の構成
３．３．技術的特徴
３．４．具体例
４．第２の実施形態
４．１．マスタ基地局１００の構成
４．２．セカンダリ基地局２００の構成
４．３．技術的特徴
５．他の形態
【００１７】
＜＜１．本発明の実施形態の概要＞＞
まず、本発明の実施形態の概要を説明する。
【００１８】
（１）技術的課題
複数の基地局間で同時通信（Ｄｕａｌ  ｃｏｎｎｅｃｔｉｖｉｔｙ）を行う移動通信システムは、Ｍａｓｔｅｒ−ｅＮＢ（ＭｅＮＢ）およびＳｅｃｏｎｄａｒｙ−ｅＮＢ（ＳｅＮＢ）の２つのｅＮＢを使用してデータ通信を実現する。
【００１９】
図１は、Ｄｕａｌ  ｃｏｎｎｅｃｔｉｖｉｔｙを行う移動通信システムの概略構成を示す図である。
【００２０】
図１に示すように、同一ベアラのユーザデータを２つのｅＮＢから送信するため、ＭｅＮＢがユーザデータ伝送の分岐点となる。つまり、Ｓ−ＧＷ（Ｓｅｒｖｉｎｇ  Ｇａｔｅｗａｙ）からＳ１インターフェースを介して転送される下りデータは、ＭｅＮＢのキャリアで伝送されるか、もしくはＸ２インターフェースを介してＳｅＮＢ側へ送信されたあとにＳｅＮＢのキャリアで伝送される。
【００２１】
図２は、Ｄｕａｌ  ｃｏｎｎｅｃｔｉｖｉｔｙにおけるユーザデータの流れを説明するための図である。
【００２２】
図２に示すように、ｅＮＢ側では、ＭｅＮＢ内のＰＤＣＰ（Packet Data Convergence Protocol）レイヤの下でプロトコルスタックが分離され、ＭｅＮＢとＳｅＮＢのそれぞれに、ＲＬＣ（Radio Link Control)レイヤ、ＭＡＣ（Medium Access Control）レイヤ、物理（ＰＨＹ：Physical）レイヤが設置される構成となっている。ＵＥ側では、それぞれに対応するプロトコルレイヤが用意される。
【００２３】
このようなデータ送信を実現するために、ＭｅＮＢのキャリアおよびＳｅＮＢのキャリアのそれぞれで送信されるユーザデータ量を適切に分配する必要がある。このため、ＳｅＮＢ側から送信したユーザデータの送信状況及び送達状況、ＳｅＮＢ内の許容データバッファ量等をＳｅＮＢからＭｅＮＢに対して通知するフロー制御が行われている。
【００２４】
具体的には、ＰＤＣＰからＲＬＣへユーザデータを送信する際には、当該ユーザデータは、ＰＤＣＰ  ＳＮ（Ｓｅｑｕｅｎｃｅ  Ｎｕｍｂｅｒ）が付与される。
【００２５】
また、ＭｅＮＢは、Ｒｅｐｏｒｔ  ｐｏｌｌｉｎｇを設定することにより、ＭｅＮＢのＰＤＣＰからＳｅＮＢのＲＬＣへ、送信状況及び／又は送達状況の通知要求を行う。図３は、Ｒｅｐｏｒｔ  ｐｏｌｌｉｎｇのためのデータフォーマットの一例を示す図である。
【００２６】
一方、ＳｅＮＢは、ＭｅＮＢからの要求に応じて即時、ＰＤＣＰ  ＳＮを用いて送信及び／又は送達状況の通知応答を行う。図４は、上記通知応答のためのデータフォーマットの一例を示す図である。つまり、図４に示すように、上記通知応答のためのデータフォーマットには、送達状況を示す送達確認したユーザデータのＰＤＣＰ  ＳＮ（Highest successfully delivered NR PDCP Sequence Number、Highest successfully delivered retransmitted NR PDCP Sequence Number）、送信状況を示す送信したユーザデータのＰＤＣＰ  ＳＮ（Highest transmitted NR PDCP Sequence Number、Highest retransmitted NR PDCP Sequence Number）、許容データバッファ量を示すバッファサイズ（Desired buffer size for the data bearer、Minimum desired buffer size for the UE）などが含まれる。
【００２７】
ＲＬＣでの送達確認は、例えば、対向のＲＬＣレイヤ（ＵＥ側のＲＬＣレイヤ）へＲＬＣ  ＳＴＡＴＵＳを要求し、対向のＲＬＣレイヤ（ＵＥ側のＲＬＣレイヤ）からＲＬＣ  ＳＴＡＴＵＳを受信することにより、ユーザデータの送達または不達を把握する仕組みになっている。
【００２８】
ここで、対向のＲＬＣレイヤ（ＵＥ側のＲＬＣレイヤ）へＲＬＣ  ＳＴＡＴＵＳを要求するのは、一定数のユーザデータを送信した時、送信ウィンドウの上限値までユーザデータが送信されて送信不能な状態になった時などである。
【００２９】
また、ＳｅＮＢがＲＬＣレイヤでユーザデータを送信したり、対向のＲＬＣレイヤ（ＵＥ側のＲＬＣレイヤ）へＲＬＣ  ＳＴＡＴＵＳを要求したりするのは、ＭＡＣレイヤのスケジューリングによって無線リソースが割り当てられた時である。
【００３０】
次に、図５を参照して、ＭｅＮＢ、ＳｅＮＢ、及びＵＥのそれぞれで行われる処理の流れについて説明する。図５は、ＭｅＮＢ、ＳｅＮＢ、及びＵＥのそれぞれで行われる処理の流れを説明するためのタイミングチャートを示す図である。
【００３１】
時刻Ｔ５０１において、ＭｅＮＢのＰＤＣＰレイヤ処理部からＳｅＮＢのＲＬＣレイヤ処理部へ、送信状態及び／又は送達状況の通知要求が行われる。
【００３２】
時刻Ｔ５０２において、ＳｅＮＢのＲＬＣレイヤ処理部は、上記通知要求に応じて即時に、ＰＤＣＰ  ＳＮを用いて送信状況及び／又は送達状況の通知応答を行う。
【００３３】
時刻Ｔ５０３において、ＭｅＮＢのＰＤＣＰレイヤ処理部は、ＳｅＮＢのＲＬＣレイヤ処理部に対して、送信状況及び／又は送達状況の通知要求を行う。
【００３４】
時刻Ｔ５０４において、ＳｅＮＢのＲＬＣレイヤ処理部は、時刻Ｔ５０３で行われた通知要求に応じて即時に、ＰＤＣＰ  ＳＮを用いて送信状況及び／又は送達状況の通知応答を行う。ここで、ＳｅＮＢのＲＬＣレイヤ処理部は、送信状況及び／又は送達状況の更新を行っていない。このため、送信状況及び／又は送達状況は、時刻Ｔ５０２と同じである。
【００３５】
時刻Ｔ５０５において、ＳｅＮＢのＲＬＣレイヤ処理部は、ＲＬＣ  ＳＴＡＴＵＳの要求をせずにＵＥのＲＬＣレイヤ処理部にユーザデータを送信する。これにより、送信状況が更新される。
【００３６】
時刻Ｔ５０６において、ＳｅＮＢのＲＬＣレイヤ処理部は、以前のＲＬＣ  ＳＴＡＴＵＳ要求時から一定量のユーザデータをＵＥに送信したか、一定数のユーザデータをＵＥに送信したか、最後のユーザデータをＵＥに送信したか、送信ウィンドウの上限値までユーザデータをＵＥに送信してこれ以上送信できなくなるか、などを判断する。そして、ＳｅＮＢのＲＬＣレイヤ処理部は、ＲＬＣ  ＳＴＡＴＵＳを要求するトリガの条件を満たしたことにより、ＲＬＣ  ＳＴＡＴＵＳの要求とともにユーザデータをＵＥに送信する。これにより、送信状況が更新される。
【００３７】
時刻Ｔ５０７において、ＭｅＮＢのＰＤＣＰレイヤ処理部は、ＳｅＮＢのＲＬＣレイヤ処理部に対して、送信状況及び／又は送達状況の通知要求を行う。
【００３８】
時刻Ｔ５０８において、ＳｅＮＢのＲＬＣレイヤ処理部は、時刻Ｔ５０７での通知要求に応じて即時に、ＰＤＣＰ  ＳＮを用いて送信状況及び／又は送達状況の通知応答を行う。具体的には、時刻Ｔ５０６で更新された送信状況が、ＭｅＮＢのＰＤＣＰレイヤ処理部に通知される。
【００３９】
時刻Ｔ５０９において、ＳｅＮＢのＲＬＣレイヤ処理部は、ＵＥからのＲＬＣ  ＳＴＡＴＵＳを受信する。これにより、送達状況が更新される。
【００４０】
時刻Ｔ５１０において、ＭｅＮＢのＰＤＣＰレイヤ処理部は、ＳｅＮＢのＲＬＣレイヤ処理部に対して、送信状況及び／又は送達状況の通知要求を行う。
【００４１】
時刻Ｔ５１１において、ＳｅＮＢのＲＬＣレイヤ処理部は、時刻Ｔ５１０での通知要求に応じて即時に、ＰＤＣＰ  ＳＮを用いて送信状況及び／又は送達状況の通知応答を行う。具体的には、時刻Ｔ５０９で更新された送達状況が、ＭｅＮＢのＰＤＣＰレイヤ処理部に通知される。
【００４２】
上記図５に示すような処理によれば、基地局としてｅＮＢ（Ｅ−ＵＴＲＡＮ  Ｎｏｄｅ  Ｂ）をあげたが、ｇＮＢ（generation  Node  B）にも適用可能である。また、３つ以上の基地局を使用してＤｕａｌ  ｃｏｎｎｅｃｔｉｖｉｔｙを行うことも可能である。
【００４３】
上述したような図５に示す処理において、ＭｅＮＢから見ると、ＳｅＮＢにより行われる送信状況及び／又は送達状況などの更新タイミングは不定期である。言い換えれば、ＭｅＮＢからＳｅＮＢに対する送信状況又は送達状況の通知要求は、実際にＳｅＮＢ側で行われる更新と非同期である。
【００４４】
このため、例えば、送信状況又は送達状況の通知要求間隔が長い場合は、上記送信状況又は上記送達状況をＭｅＮＢが迅速に把握することができない。このため、ユーザデータ量を適切に分配できない問題が生じる。逆に、送信状況又は送達状況の通知要求間隔が短い場合は、上記送信状況又は上記送達状況の変化がなくても、何度も同様の通知要求が行われることになり、トラフィックに負荷がかかる問題が生じる。
【００４５】
そこで、本実施形態の目的は、セカンダリ基地局（例えばＳｅＮＢ）から端末装置（例えばＵＥ）に送信されるデータの送信状況又は送達状況を、マスタ基地局（例えばＭｅＮＢ）が適切なタイミングで取得することを可能にすることにある。
【００４６】
（２）技術的特徴
本実施形態では、例えば、端末装置との無線通信を行うマスタ基地局は、上記端末装置との無線通信を行うセカンダリ基地局に要求するメッセージであって、上記セカンダリ基地局から上記端末装置へのデータ送信状況と上記セカンダリ基地局から上記端末装置へのデータ送達状況とのうちの少なくとも一方の状況に関する通知を要求する上記メッセージを取得する取得部と、上記メッセージを上記セカンダリ基地局に送信する送信処理部と、を備え、上記メッセージは、当該メッセージの通知タイミングを上記セカンダリ基地局に指示するタイミング指示情報を含む。
【００４７】
これにより、例えば、セカンダリ基地局から端末装置に送信されるデータの送信状況又は送達状況を、マスタ基地局が適切なタイミングで取得することが可能になる。
【００４８】
なお、上述した技術的特徴は本発明の実施形態の具体的な一例であり、当然ながら、本発明の実施形態は上述した技術的特徴に限定されない。
【００４９】
＜＜２．システムの構成＞＞
図６を参照して、本発明の実施形態に係るシステム１の構成の例を説明する。図６は、本発明の実施形態に係るシステム１の概略的な構成の一例を示す説明図である。図６を参照すると、システム１は、マスタ基地局１００、セカンダリ基地局２００、及び端末装置３００を含む。
【００５０】
例えば、システム１は、３ＧＰＰ（Third  Generation  Partnership  Project）の規格（standard）／仕様（specification）に準拠したシステムである。より具体的には、例えば、システム１は、ＬＴＥ／ＬＴＥ−Ａｄｖａｎｃｅｄ及び／又はＳＡＥ（System  Architecture  Evolution）の規格／仕様に準拠したシステムであってもよい。あるいは、システム１は、第５世代（５Ｇ）／ＮＲ（New  Radio）の規格／仕様に準拠したシステムであってもよい。当然ながら、システム１は、これらの例に限定されない。
【００５１】
また、システム１は、複数の基地局間で同時通信（Ｄｕａｌ  ｃｏｎｎｅｃｔｉｖｉｔｙ）を行う移動通信システムであり、マスタ基地局１００およびセカンダリ基地局２００の２つの基地局を使用してデータ通信を実現する。ここで、同一ベアラのユーザデータを２つの基地局から送信するため、マスタ基地局１００がユーザデータ伝送の分岐点となる。つまり、ユーザデータは、マスタ基地局１００のキャリアで伝送されるか、もしくはＸ２インターフェースを介してセカンダリ基地局２００側へ送信された後にセカンダリ基地局２００のキャリアで伝送される。
【００５２】
このデータ送信を実現するために、マスタ基地局１００のキャリアおよびセカンダリ基地局２００のキャリアのそれぞれで送信されるユーザデータ量を適切に分配する必要がある。このため、セカンダリ基地局２００側から送信したユーザデータの送信状況及び送達状況、セカンダリ基地局２００内の許容データバッファ量等をＳｅＮＢからＭｅＮＢに対して通知するフロー制御が行われる。
【００５３】
（１）マスタ基地局１００、セカンダリ基地局２００
マスタ基地局１００及びセカンダリ基地局２００のそれぞれは、無線アクセスネットワーク（Radio  Access  Network：ＲＡＮ）のノードであり、カバレッジエリア内に位置する端末装置（例えば、端末装置３００）との無線通信を行う。
【００５４】
例えば、マスタ基地局１００及びセカンダリ基地局２００のそれぞれは、ｅＮＢ（evolved  Node  B）であってもよく、又は、５ＧにおけるｇＮＢ（generation  Node  B）であってもよい。マスタ基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、マスタ基地局１００及びセカンダリ基地局２００のそれぞれは、単一のユニット（又は単一のノード）であってもよい。この場合に、マスタ基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００５５】
（２）端末装置３００
端末装置３００は、基地局との無線通信を行う。例えば、端末装置３００は、基地局（例えば、マスタ基地局１００、セカンダリ基地局２００）のカバレッジエリア内に位置する場合に、上記基地局との無線通信を行う。例えば、端末装置３００は、ＵＥ（User  Equipment）である。
【００５６】
＜＜３．第１の実施形態＞＞
続いて、図７〜図１２を参照して、本発明の第１の実施形態を説明する。
【００５７】
＜３．１．マスタ基地局１００の構成＞
次に、図７を参照して、第１の実施形態に係るマスタ基地局１００の構成の例を説明する。図７は、第１の実施形態に係るマスタ基地局１００の概略的な構成の例を示すブロック図である。図７を参照すると、マスタ基地局１００は、無線通信部１１０、ネットワーク通信部１２０、記憶部１３０及び処理部１４０を備える。
【００５８】
（１）無線通信部１１０
無線通信部１１０は、信号を無線で送受信する。例えば、無線通信部１１０は、端末装置からの信号を受信し、端末装置への信号を送信する。
【００５９】
（２）ネットワーク通信部１２０
ネットワーク通信部１２０は、ネットワークから信号を受信し、ネットワークへ信号を送信する。例えば、ネットワーク通信部１２０は、セカンダリ基地局２００からの信号を受信し、セカンダリ基地局２００への信号を送信する。
【００６０】
（３）記憶部１３０
記憶部１３０は、マスタ基地局１００の動作のためのプログラム（命令）及びパラメータ、並びに様々なデータを、一時的に又は恒久的に記憶する。当該プログラムは、マスタ基地局１００の動作のための１つ以上の命令を含む。
【００６１】
（４）処理部１４０
処理部１４０は、マスタ基地局１００の様々な機能を提供する。処理部１４０は、取得部１４１、送信処理部１４３、及び受信処理部１４５を含む。なお、処理部１４０は、これらの構成要素以外の他の構成要素をさらに含み得る。即ち、処理部１４０は、これらの構成要素の動作以外の動作も行い得る。取得部１４１、送信処理部１４３、及び受信処理部１４５の具体的な動作は、後に詳細に説明する。
【００６２】
例えば、処理部１４０（送信処理部１４３及び受信処理部１４５）は、無線通信部１１０を介して端末装置（例えば、端末装置３００）との通信を行う。例えば、処理部１４０（送信処理部１４３及び受信処理部１４５）は、ネットワーク通信部１２０を介して他のネットワークノード（例えば、セカンダリ基地局２００）との通信を行う。
【００６３】
（５）実装例
無線通信部１１０は、アンテナ及び高周波（Radio Frequency：ＲＦ）回路等により実装されてもよく、当該アンテナは、指向性アンテナであってもよい。ネットワーク通信部１２０は、ネットワークアダプタ並びに／又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他の種類のプロセッサ等の１つ以上のプロセッサにより実装されてもよい。取得部１４１、送信処理部１４３、及び受信処理部１４５は、同一のプロセッサにより実装されてもよく、別々に異なるプロセッサにより実装されてもよい。上記メモリ（記憶部１３０）は、上記１つ以上のプロセッサ内に含まれていてもよく、又は、上記１つ以上のプロセッサ外にあってもよい。
【００６４】
マスタ基地局１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（取得部１４１、送信処理部１４３、及び／又は受信処理部１４５の動作）を行ってもよい。上記プログラムは、処理部１４０の動作（取得部１４１、送信処理部１４３、及び／又は受信処理部１４５の動作）をプロセッサに実行させるためのプログラムであってもよい。
【００６５】
なお、マスタ基地局１００は、仮想化されていてもよい。即ち、マスタ基地局１００は、仮想マシンとして実装されてもよい。この場合に、マスタ基地局１００（仮想マシン）は、プロセッサ及びメモリ等を含む物理マシン（ハードウェア）及びハイパーバイザ上で仮想マシンとして動作してもよい。
【００６６】
＜３．２．セカンダリ基地局２００の構成＞
次に、図８を参照して、第１の実施形態に係るセカンダリ基地局２００の構成の例を説明する。図８は、第１の実施形態に係るセカンダリ基地局２００の概略的な構成の例を示すブロック図である。図８を参照すると、セカンダリ基地局２００は、無線通信部２１０、ネットワーク通信部２２０、記憶部２３０及び処理部２４０を備える。
【００６７】
（１）無線通信部２１０
無線通信部２１０は、信号を無線で送受信する。例えば、無線通信部２１０は、端末装置からの信号を受信し、端末装置への信号を送信する。
【００６８】
（２）ネットワーク通信部２２０
ネットワーク通信部２２０は、ネットワークから信号を受信し、ネットワークへ信号を送信する。例えば、ネットワーク通信部２２０は、マスタ基地局１００からの信号を受信し、マスタ基地局１００への信号を送信する。
【００６９】
（３）記憶部２３０
記憶部２３０は、セカンダリ基地局２００の動作のためのプログラム（命令）及びパラメータ、並びに様々なデータを、一時的に又は恒久的に記憶する。当該プログラムは、マスタ基地局１００の動作のための１つ以上の命令を含む。
【００７０】
（４）処理部２４０
処理部２４０は、セカンダリ基地局２００の様々な機能を提供する。処理部２４０は、送信処理部２４１、及び受信処理部２４３を含む。なお、処理部２４０は、これらの構成要素以外の他の構成要素をさらに含み得る。即ち、処理部２４０は、これらの構成要素の動作以外の動作も行い得る。送信処理部２４１、及び受信処理部２４３の具体的な動作は、後に詳細に説明する。
【００７１】
例えば、処理部１４０（送信処理部２４１及び受信処理部２４３）は、無線通信部１１０を介して端末装置（例えば、端末装置３００）との通信を行う。例えば、処理部１４０（送信処理部２４１及び受信処理部２４３）は、ネットワーク通信部１２０を介して他のネットワークノード（例えば、マスタ基地局１００）との通信を行う。
【００７２】
（５）実装例
無線通信部２１０は、アンテナ及び高周波（Radio Frequency：ＲＦ）回路等により実装されてもよく、当該アンテナは、指向性アンテナであってもよい。ネットワーク通信部２２０は、ネットワークアダプタ並びに／又はネットワークインタフェースカード等により実装されてもよい。記憶部２３０は、メモリ（例えば、不揮発性メモリ及び／若しくは揮発性メモリ）並びに／又はハードディスク等により実装されてもよい。処理部２４０は、ベースバンド（Baseband：ＢＢ）プロセッサ及び／又は他の種類のプロセッサ等の１つ以上のプロセッサにより実装されてもよい。送信処理部２４１、及び受信処理部２４３は、同一のプロセッサにより実装されてもよく、別々に異なるプロセッサにより実装されてもよい。上記メモリ（記憶部２３０）は、上記１つ以上のプロセッサ内に含まれていてもよく、又は、上記１つ以上のプロセッサ外にあってもよい。
【００７３】
セカンダリ基地局２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（送信処理部２４１、及び／又は受信処理部２４３の動作）を行ってもよい。上記プログラムは、処理部２４０の動作（送信処理部２４１、及び／又は受信処理部２４３の動作）をプロセッサに実行させるためのプログラムであってもよい。
【００７４】
なお、セカンダリ基地局２００は、仮想化されていてもよい。即ち、セカンダリ基地局２００は、仮想マシンとして実装されてもよい。この場合に、セカンダリ基地局２００（仮想マシン）は、プロセッサ及びメモリ等を含む物理マシン（ハードウェア）及びハイパーバイザ上で仮想マシンとして動作してもよい。
【００７５】
＜３．３．技術的特徴＞
次に、第１の実施形態の技術的特徴を説明する。
【００７６】
マスタ基地局１００（取得部１４１）は、端末装置３００との無線通信を行うセカンダリ基地局２００に要求するメッセージであって、セカンダリ基地局２００から端末装置３００へのデータ送信状況とセカンダリ基地局２００から端末装置３００へのデータ送達状況とのうちの少なくとも一方の状況に関する通知を要求する上記メッセージを取得する。マスタ基地局１００（送信処理部１４３）は、上記メッセージをセカンダリ基地局２００に送信する。ここで、上記メッセージは、当該メッセージの通知タイミングをセカンダリ基地局２００に指示するタイミング指示情報を含む。
【００７７】
セカンダリ基地局２００（受信処理部２４３）は、端末装置３００との無線通信を行うマスタ基地局１００から、セカンダリ基地局２００から端末装置３００へのデータ送信状況とセカンダリ基地局２００から端末装置３００へのデータ送達状況とのうちの少なくとも一方の状況に関する通知を要求するためのメッセージを受信する。セカンダリ基地局２００（送信処理部２４１）は、上記メッセージに応じて、上記データ送信状況及び上記データ送信状況とのうちの少なくとも一方の状況に関する情報を、マスタ基地局１００に送信する。ここで、上記メッセージは、当該メッセージの通知タイミングをセカンダリ基地局２００に指示するタイミング指示情報を含む。また、セカンダリ基地局２００（送信処理部２４１）は、上記タイミング指示情報が指示するタイミングで、上記データ送信状況及び上記データ送信状況とのうちの少なくとも一方の状況に関する情報を、マスタ基地局１００に送信する。
【００７８】
例えば、上記メッセージは、例えばマスタ基地局１００内のＰＤＣＰ（Packet Data Convergence  Protocol）レイヤに関するデータ処理によって生成されるＰＤＣＰ  ＰＤＵ（Protocol Data Unit）に含まれ、セカンダリ基地局２００のＲＬＣ（Radio Link Control）レイヤ処理を行う処理部（処理部１４０）に送信される。
【００７９】
上記データ送信状況とは、例えば、ＲＬＣレイヤにおけるデータ送信状況である。より具体的には、上記データ送信状況とは、端末装置３００からセカンダリ基地局２００へのステイタスレポート（例えばＲＬＣステイタスレポート）によらず、セカンダリ基地局２００からユーザデータの送信に応じて更新される状況をいう。
【００８０】
一方、上記データ送達状況とは、例えば、ＲＬＣレイヤにおけるデータ送達状況である。より具体的には、上記データ送達状況とは、端末装置３００からセカンダリ基地局２００へのステイタスレポート（例えばＲＬＣステイタスレポート）に応じて更新される状況をいう。言い換えれば、上記データ送達状況の更新は、セカンダリ基地局２００が端末装置３００からのステイタスレポートを受信したことに応答して行われる。
【００８１】
また、上記メッセージは、上述したように、当該メッセージの通知タイミングをセカンダリ基地局２００に指示するタイミング指示情報を含む。具体的に、上記タイミング指示情報は、例えば上記データ送信状況の更新時を上記通知タイミングとして指示してもよい。もしくは、上記タイミング指示情報は、上記データ送達状況の更新時を上記通知タイミングとして指示してもよい。
【００８２】
図９は、上記メッセージを送信するためのデータフォーマットの一例を示す図である。例えば、図９に示すデータフォーマットにおいて、「通知すべき契機」が、上記通知タイミングに該当する。つまり、「通知すべき契機」に対応するデータ領域には、例えば、即時、送信状況の更新時、及び、送達状況の更新時のうちのいずれか１つを識別するためのデータが含まれる。
【００８３】
また、マスタ基地局１００は、セカンダリ基地局２００に対してデータ送達状況の更新を指示してもよい。この場合、マスタ基地局１００は、例えば図９に示すデータフォーマットにおける「送達状況更新指定有無」に対応するデータ領域に、「送達状況更新指定有」を設定することで、セカンダリ基地局２００に対してデータ送達状況の更新を指示することができる。
【００８４】
また、セカンダリ基地局２００から端末装置３００へ送信するためのデータ（ユーザデータ）には、マスタ基地局１００により割り当てられたシーケンスナンバーが設定される。このシーケンスナンバーは、具体的には、マスタ基地局１００内でＰＤＣＰレイヤの処理で割り当てられるシーケンスナンバー（例えばＰＤＣＰシーケンスナンバー）である。この場合には、例えば、上記メッセージは、上記データ送信状況と上記データ送達状況とのうちの少なくとも一方の状況に関する通知対象となるシーケンスナンバーを指示するシーケンスナンバー指示情報を含んでもよい。
【００８５】
例えば、マスタ基地局１００は、シーケンスナンバーが１０に対応するユーザデータのみを通知対象とする場合、図９に示すデータフォーマットについて次のような設定を行えばよい。つまり、マスタ基地局１００は、図９に示すデータフォーマットにおける「指定／解除」に「指定」を、「通知すべきＳＮ指定有無」に「通知すべきＳＮ指定有」を、「通知すべきＮＲ  ＰＤＣＰ  ＰＤＵ  ＳＮ」に「１０」を、それぞれ設定すればよい。
【００８６】
＜３．４．具体例＞
（１）第１の具体例
次に、図１０を参照して、第１の具体例を説明する。図１０は、第１の具体例に係る処理の流れを示すタイミングチャートを示す図である。
【００８７】
時刻Ｔ１００１において、マスタ基地局１００は、図９に示すデータフォーマットに従い、「通知すべき契機」を「即時」に設定して、上記メッセージ（送信状況及び／又は送達状況の通知要求）をセカンダリ基地局２００に送信する。
【００８８】
時刻Ｔ１００２において、セカンダリ基地局２００は、時刻Ｔ１００１で送信された上記メッセージに応じて即時に、ＰＤＣＰ  ＳＮを用いて上記メッセージに対する通知応答（送信状況及び／又は送達状況の通知応答）を行う。
【００８９】
時刻Ｔ１００３において、マスタ基地局１００は、図９に示すデータフォーマットに従い、「通知すべき契機」を「送信状況更新時」に設定して、上記メッセージ（送信状況及び／又は送達状況の通知要求）をセカンダリ基地局２００に送信する。
【００９０】
時刻Ｔ１００５において、セカンダリ基地局２００は、ＲＬＣ  ＳＴＡＴＵＳを要求するトリガの条件を満たさないことにより、ＲＬＣ  ＳＴＡＴＵＳの要求せずにユーザデータを端末装置３００に送信する。これにより送信状況が更新される。
【００９１】
時刻Ｔ１００４’において、セカンダリ基地局２００は、送信状況更新時にＰＤＣＰ  ＳＮを用いて、上記メッセージに対する通知応答（送信状況及び／送達状況の通知応答）を行う。このようにして、セカンダリ基地局２００による送信状況の更新後、マスタ基地局１００は、上記メッセージにより要求した送信状況を速やかに取得することが可能となる。
【００９２】
時刻Ｔ１００６において、セカンダリ基地局２００は、ＲＬＣ  ＳＴＡＴＵＳを要求するトリガの条件を満たしたことにより、ＲＬＣ  ＳＴＡＴＵＳ要求とともにユーザデータを送信する。これにより、送信状況が更新される。
【００９３】
時刻Ｔ１００７において、マスタ基地局１００は、図９に示すデータフォーマットに従い、「通知すべき契機」を「送達状況更新時」に設定して、上記メッセージ（送信状況及び／又は送達状況の通知要求）をセカンダリ基地局２００に送信する。
【００９４】
時刻Ｔ１００９において、セカンダリ基地局２００は、端末装置３００からＲＬＣ  ＳＴＡＴＵＳを受信する。これにより送達状況が更新される。
【００９５】
時刻Ｔ１００８’において、セカンダリ基地局２００は、送達状況更新時に、ＰＤＣＰ  ＳＮを用いて、上記メッセージに対する通知応答（送信状況及び／又は送達状況の通知応答）を行う。これにより、時刻Ｔ１００６で更新された送信状況を、マスタ基地局１００に通知することができる。すなわち、ＳｅＮＢのＲＬＣにおいて送達状況の更新後、マスタ基地局１００は、速やかに、上記メッセージにより要求した送達状況の取得が可能となる。
【００９６】
以上、図１０に示す処理の流れを説明した。上述した図１０に示す処理によれば、マスタ基地局１００は、セカンダリ基地局２００において、送信状況及び／又は送達状況の更新後、速やかに上記メッセージにより要求した通知を受けることが可能となる。これにより、適切なユーザデータの配信が可能となる。
【００９７】
（２）第２の具体例
次に、図１１を参照して、第２の具体例を説明する。図１１は、第２の具体例に係る処理の流れを示すタイミングチャートを示す図である。
【００９８】
時刻Ｔ１１０１において、マスタ基地局１００は、図９に示すデータフォーマットに従い、「通知すべき契機」を「送達状況更新時」に設定するとともに、「送達状況更新指定」に「送達状況更新指定有」を設定して、上記メッセージ（送信状況及び／又は送達状況の通知要求）を行う。
【００９９】
時刻Ｔ１１０２において、セカンダリ基地局２００は、ＲＬＣ  ＳＴＡＴＵＳを要求するトリガの条件を満たさなくても、ＲＬＣ  ＳＴＡＴＵＳ要求とともにユーザデータを送信する。
【０１００】
時刻Ｔ１１０３において、セカンダリ基地局２００は、端末装置３００からＲＬＣ  ＳＴＡＴＵＳを受信する。これにより、送達状況が更新される。
【０１０１】
時刻Ｔ１１０４において、セカンダリ基地局２００は、送達状況更新時にＰＤＣＰ  ＳＮを用いて、上記メッセージに対する通知応答（送信状況及び／又は送達状況の通知応答）を行う。このようにして、セカンダリ基地局２００による送達状況の更新後、マスタ基地局１００は、上記メッセージにより要求した送達状況を速やかに取得することが可能となる。
【０１０２】
（３）第３の具体例
次に、図１２を参照して、第３の具体例を説明する。図１２は、第３の具体例に係る処理の流れを示すタイミングチャートを示す図である。
【０１０３】
時刻Ｔ１２０１において、マスタ基地局１００は、図９に示すデータフォーマットに従って、「通知すべき契機」を「送信状況更新時」に設定し、「指定／解除」を「指定」に設定し、「通知すべきＳＮ指定有無」を「通知すべきＳＮ指定有」に設定し、「通知すべきＮＲ  ＰＤＣＰ  ＰＤＵ  ＳＮ」を「１０」に設定する。そして、マスタ基地局１００は、上記メッセージ（送信状況及び／送達状況の通知要求）を行う。
【０１０４】
時刻Ｔ１２０２において、セカンダリ基地局２００は、ＰＤＣＰ  ＳＮが「８」であるユーザデータを送信する。これにより、送信状況が更新される。ここで、当該ユーザデータのＳＮである「８」は、通知すべきＳＮである「１０」とは異なるため、セカンダリ基地局２００は、上記メッセージに対する通知応答（送信状況及び／又は送達状況の通知応答）を行わない。
【０１０５】
時刻Ｔ１２０３において、セカンダリ基地局２００は、ＰＤＣＰ  ＳＮが「９」であるユーザデータを送信する。これにより、送信状況が更新される。ここで、当該ユーザデータのＳＮである「９」は、通知すべきＳＮである「１０」とは異なるため、セカンダリ基地局２００は、上記メッセージに対する通知応答（送信状況及び／又は送達状況の通知応答）を行わない。
【０１０６】
時刻Ｔ１２０４において、セカンダリ基地局２００は、ＰＤＣＰ  ＳＮが「１０」であるユーザデータを送信する。これにより、送信状況が更新される。
【０１０７】
時刻Ｔ１２０５において、セカンダリ基地局２００は、時刻Ｔ１２０４で送信状況が更新されたＳＮが通知すべきＳＮであるため、ＰＤＣＰ  ＳＮを用いて、上記メッセージに対する通知応答（送信状況及び／又は送達状況の通知応答）を行う。
【０１０８】
以上、図１２に示す処理の流れを説明した。上述した図１２に示す処理によれば、マスタ基地局１００は、指定したＰＤＣＰ  ＰＤＵの送信状況を即座に取得することが可能となる。
【０１０９】
（４）他の具体例
なお、上記の実施例に限らず、種々の変形が可能である。たとえば、マスタ基地局１００は、図９に示すデータフォーマットに従い「指定／解除」を「指定」を設定することで、繰り返し上記メッセージ（送信状況及び／又は送達状況の通知要求）を行ってもよい。これにより、マスタ基地局１００は、複数のＰＤＣＰ  ＰＤＵの送信状況及び／又は送達状況を即座に取得することが可能となる。また、上記メッセージ（送信状況及び／又は送達状況の通知要求）を１回だけ行うことで、複数のＰＤＣＰ  ＰＤＵの送信状況及び／又は送達状況を要求できるようにしてもよい。また、図９に示すデータフォーマットに従い「指定／解除」が「解除」に設定されることにより、以前行われた全部もしくは一部の送信状況及び／又は送達状況の通知要求が取り消されてもよい。さらに、セカンダリ基地局２００内のユーザデータ用のバッファサイズの残容量を、通知応答の条件として用いてもよい。つまり、マスタ基地局１００は、上記バッファの残容量の閾値に関する指示情報を、上記メッセージに含めてセカンダリ基地局２００に送信してもよい。これにより、セカンダリ基地局２００は、マスタ基地局１００により指示されたバッファの残容量が閾値を下回った場合に限って、上記メッセージに対する通知応答（送信状況及び／又は送達状況の通知応答）を行うことが可能となる。
【０１１０】
＜＜４．第２の実施形態＞＞
続いて、図１３及び図１４を参照して、本発明の第２の実施形態を説明する。上述した第１の実施形態は、具体的な実施形態であるが、第２の実施形態は、より一般化された実施形態である。
【０１１１】
＜４．１．マスタ基地局１００の構成＞
まず、図１３を参照して、第２の実施形態に係るマスタ基地局１００の構成の例を説明する。図１３は、第２の実施形態に係るマスタ基地局１００の概略的な構成の例を示すブロック図である。図１３を参照すると、マスタ基地局１００は、取得部１５１、及び送信処理部１５３を含む。取得部１５１及び送信処理部１５３の具体的な動作は、後に説明する。
【０１１２】
取得部１５１及び送信処理部１５３は、同一のプロセッサにより実装されてもよく、別々に異なるプロセッサにより実装されてもよい。取得部１５１及び送信処理部１５３は、プログラム（命令）を記憶するメモリと、当該プログラム（命令）を実行可能な１つ以上のプロセッサとを含んでもよく、当該１つ以上のプロセッサは、取得部１５１及び送信処理部１５３の動作を行ってもよい。上記プログラムは、取得部１５１及び送信処理部１５３の動作をプロセッサに実行させるためのプログラムであってもよい。
【０１１３】
なお、上述した各々のプロセッサは、例えば汎用なコンピュータにインストールされたハイパーバイザなどにより実現される仮想プロセッサであってもよい。また、上述した各々のメモリは、例えば汎用なコンピュータにインストールされたハイパーバイザなどにより実現される仮想メモリであってもよい。
【０１１４】
＜４．２．セカンダリ基地局２００の構成＞
次に、図１４を参照して、第２の実施形態に係るセカンダリ基地局２００の構成の例を説明する。図１４は、第２の実施形態に係るセカンダリ基地局２００の概略的な構成の例を示すブロック図である。図１４を参照すると、セカンダリ基地局２００は、送信処理部２５１、及び受信処理部２５３を含む。送信処理部２５１及び受信処理部２５３の具体的な動作は、後に説明する。
【０１１５】
送信処理部２５１及び受信処理部２５３は、同一のプロセッサにより実装されてもよく、別々に異なるプロセッサにより実装されてもよい。送信処理部２５１及び受信処理部２５３は、プログラム（命令）を記憶するメモリと、当該プログラム（命令）を実行可能な１つ以上のプロセッサとを含んでもよく、当該１つ以上のプロセッサは、送信処理部２５１及び受信処理部２５３の動作を行ってもよい。上記プログラムは、送信処理部２５１及び受信処理部２５３の動作をプロセッサに実行させるためのプログラムであってもよい。
【０１１６】
なお、上述した各々のプロセッサは、例えば汎用なコンピュータにインストールされたハイパーバイザなどにより実現される仮想プロセッサであってもよい。また、上述した各々のメモリは、例えば汎用なコンピュータにインストールされたハイパーバイザなどにより実現される仮想メモリであってもよい。
【０１１７】
＜４．３．技術的特徴＞
次に、第２の実施形態の技術的特徴を説明する。
【０１１８】
第２の実施形態では、マスタ基地局１００（取得部１５１）は、端末装置３００との無線通信を行うセカンダリ基地局２００に要求するメッセージであって、セカンダリ基地局２００から端末装置３００へのデータ送信状況とセカンダリ基地局２００から端末装置３００へのデータ送達状況とのうちの少なくとも一方の状況に関する通知を要求する上記メッセージを取得する。マスタ基地局１００（送信処理部１５３）は、上記メッセージをセカンダリ基地局２００に送信する。ここで、上記メッセージは、当該メッセージの通知タイミングをセカンダリ基地局２００に指示するタイミング指示情報を含む。
【０１１９】
例えば、取得部１５１は、上述した第１の実施形態に係る取得部１５１の動作を行ってもよい。また、送信処理部１５３は、上述した第１の実施形態に係る送信処理部１４３の動作を行ってもよい。
【０１２０】
また、セカンダリ基地局２００（受信処理部２５３）は、端末装置３００との無線通信を行うマスタ基地局１００から、セカンダリ基地局２００から端末装置３００へのデータ送信状況とセカンダリ基地局２００から端末装置３００へのデータ送達状況とのうちの少なくとも一方の状況に関する通知を要求するためのメッセージを受信する。セカンダリ基地局２００（送信処理部２５１）は、上記メッセージに応じて、上記データ送信状況及び上記データ送信状況とのうちの少なくとも一方の状況に関する情報を、マスタ基地局１００に送信する。ここで、上記メッセージは、当該メッセージの通知タイミングをセカンダリ基地局２００に指示するタイミング指示情報を含む。また、セカンダリ基地局２００（送信処理部２５１）は、上記タイミング指示情報が指示するタイミングで、上記データ送信状況及び上記データ送信状況とのうちの少なくとも一方の状況に関する情報を、マスタ基地局１００に送信する。
【０１２１】
例えば、受信処理部２５３は、上述した第１の実施形態に係る受信処理部２５３の動作を行ってもよい。また、送信処理部２５１は、上述した第１の実施形態に係る送信処理部２４１の動作を行ってもよい。
【０１２２】
以上、第２の実施形態を説明した。第２の実施形態によれば、例えば、セカンダリ基地局から端末装置に送信されるデータの送信状況又は送達状況を、マスタ基地局が適切なタイミングで取得することが可能になる。
【０１２３】
＜＜５．他の形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１２４】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１２５】
また、本明細書において説明したマスタ基地局の構成要素（例えば、取得部、送信処理部、及び／又は受信処理部）を備える装置（例えば、マスタ基地局を構成する複数の装置（又はユニット）のうちの１つ以上の装置（又はユニット）、又は上記複数の装置（又はユニット）のうちの１つのためのモジュール）が提供されてもよい。本明細書において説明したセカンダリ基地局の構成要素（例えば、送信処理部及び／又は受信処理部）を備える装置（例えば、セカンダリ基地局のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【０１２６】
上記実施形態の一部又は全部は、以下の付記のようにも記載され得るが、以下には限られない。
【０１２７】
（付記１）
端末装置との無線通信を行うマスタ基地局であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得する取得部と、
前記メッセージを前記セカンダリ基地局に送信する送信処理部と、
を備え、
前記メッセージは、当該メッセージの通知タイミングを前記セカンダリ基地局に指示するタイミング指示情報を含む、マスタ基地局。
【０１２８】
（付記２）
前記タイミング指示情報は、前記データ送信状況の更新時を前記通知タイミングとして指示する、付記１記載のマスタ基地局。
【０１２９】
（付記３）
前記タイミング指示情報は、前記データ送達状況の更新時を前記通知タイミングとして指示する、付記１記載のマスタ基地局。
【０１３０】
（付記４）
前記データ送達状況の更新は、前記セカンダリ基地局が前記端末装置からのステイタスレポートを受信したことに応答して行われる、付記３記載のマスタ基地局。
【０１３１】
（付記５）
前記セカンダリ基地局から前記端末装置へ送信するためのデータには、当該マスタ基地局によって割り当てられたシーケンスナンバーが設定されており、
前記メッセージは、前記データ送信状況と前記データ送達状況とのうちの少なくとも一方の状況に関する通知対象となるシーケンスナンバーを指示するシーケンスナンバー指示情報を含む、付記１乃至４のうち何れか１項記載のマスタ基地局。
【０１３２】
（付記６）
前記データ送信状況は、ＲＬＣ（Radio  Link  Control）レイヤにおけるデータ送信状況である、付記１乃至５のうち何れか１項記載のマスタ基地局。
【０１３３】
（付記７）
前記データ送達状況は、ＲＬＣ（Radio  Link  Control）レイヤにおけるデータ送達状況である、付記１乃至６のうち何れか１項記載のマスタ基地局。
【０１３４】
（付記８）
端末装置との無線通信を行うセカンダリ基地局であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信する受信処理部と、
前記メッセージに応じて、前記データ送信状況及び前記データ送信状況とのうちの少なくとも一方の状況に関する情報を、前記マスタ基地局に送信する送信処理部と、
を備え、
前記メッセージは、当該メッセージの通知タイミングを当該セカンダリ基地局に指示するタイミング指示情報を含み、
前記送信処理部は、前記タイミング指示情報が指示するタイミングで、前記データ送信状況及び前記データ送信状況とのうちの少なくとも一方の状況に関する情報を、前記マスタ基地局に送信する、セカンダリ基地局。
【０１３５】
（付記９）
端末装置との無線通信を行うマスタ基地局が行う方法であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を含み、
前記メッセージは、当該メッセージの通知タイミングを前記セカンダリ基地局に指示するタイミング指示情報を含む、方法。
【０１３６】
（付記１０）
端末装置との無線通信を行うセカンダリ基地局が行う方法であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送信状況とのうちの少なくとも一方の状況に関する情報を、前記マスタ基地局に送信することと、
を含み、
前記メッセージは、当該メッセージの通知タイミングを当該セカンダリ基地局に指示するタイミング指示情報を含み、
前記データ送信状況及び前記データ送信状況とのうちの少なくとも一方の状況に関する情報の送信では、前記タイミング指示情報が指示するタイミングで、前記データ送信状況及び前記データ送信状況とのうちの少なくとも一方の状況に関する情報を、前記マスタ基地局に送信する、方法。
【０１３７】
（付記１１）
端末装置との無線通信を行うマスタ基地局に実行させるプログラムであって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を、前記マスタ基地局に実行させ、
前記メッセージは、当該メッセージの通知タイミングを前記セカンダリ基地局に指示するタイミング指示情報を含む、プログラム。
【０１３８】
（付記１２）
端末装置との無線通信を行うセカンダリ基地局に実行させるプログラムであって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送信状況とのうちの少なくとも一方の状況に関する情報を、前記マスタ基地局に送信することと、
を、前記セカンダリ基地局に実行させ、
前記メッセージは、当該メッセージの通知タイミングを当該セカンダリ基地局に指示するタイミング指示情報を含み、
前記データ送信状況及び前記データ送信状況とのうちの少なくとも一方の状況に関する情報の送信では、前記タイミング指示情報が指示するタイミングで、前記データ送信状況及び前記データ送信状況とのうちの少なくとも一方の状況に関する情報を、前記マスタ基地局に送信する、プログラム。
【０１３９】
（付記１３）
端末装置との無線通信を行うマスタ基地局に実行させるプログラムを記録したコンピュータ読み取り可能な非一時的記録媒体であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を、前記プログラムが前記マスタ基地局に実行させ、
前記メッセージは、当該メッセージの通知タイミングを前記セカンダリ基地局に指示するタイミング指示情報を含む、記録媒体。
【０１４０】
（付記１４）
端末装置との無線通信を行うセカンダリ基地局に実行させるプログラムを記録したコンピュータ読み取り可能な非一時的記録媒体であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送信状況とのうちの少なくとも一方の状況に関する情報を、前記マスタ基地局に送信することと、
を、前記プログラムが前記セカンダリ基地局に実行させ、
前記メッセージは、当該メッセージの通知タイミングを当該セカンダリ基地局に指示するタイミング指示情報を含み、
前記データ送信状況及び前記データ送信状況とのうちの少なくとも一方の状況に関する情報の送信では、前記タイミング指示情報が指示するタイミングで、前記データ送信状況及び前記データ送信状況とのうちの少なくとも一方の状況に関する情報を、前記マスタ基地局に送信する、記録媒体。
【産業上の利用可能性】
【０１４１】
移動体通信システムにおいて、セカンダリ基地局から端末装置に送信されるデータの送信状況又は送達状況を、マスタ基地局が適切なタイミングで取得することができる。
【符号の説明】
【０１４２】
１  システム
１００  マスタ基地局
１４１、１５１  取得部
１４３、１５３、２４１、２５１  送信処理部
１４５、２４３、２５３  受信処理部
２００  セカンダリ基地局
３００  端末装置
【図１】
2019213129.tif 000003
【図２】
2019213129.tif 000004
【図３】
2019213129.tif 000005
【図４】
2019213129.tif 000006
【図５】
2019213129.tif 000007
【図６】
2019213129.tif 000008
【図７】
2019213129.tif 000009
【図８】
2019213129.tif 000010
【図９】
2019213129.tif 000011
【図１０】
2019213129.tif 000012
【図１１】
2019213129.tif 000013
【図１２】
2019213129.tif 000014
【図１３】
2019213129.tif 000015
【図１４】
2019213129.tif 000016